(57)【特許請求の範囲】
【請求項１】
情報の入力を受け付ける情報受付手段と、
外部の装置との接続を確立するためのインタフェース部と、
該インタフェース部により受信した印刷ジョブに含まれる画像データを記憶するための記憶手段と、
前記画像データを用紙に印刷する印刷手段と、
制御部と、
を備え、
前記制御部は、
前記印刷ジョブから１ページごとに画像データを抽出し、その抽出した画像データごとに対応するページ数を関連付けて前記記憶手段に記憶させ、
前記印刷手段による前記画像データの印刷の開始後、前記ページ数に基づいて、現在の印刷の対象となる画像データに対応するページが最終ページであるか判断し、最終ページでない場合に、前記情報受付手段が画像データの最終ページよりも前の変更ページまでの出力変更を受け付けた際に、前記記憶手段に記憶された画像データのうち、最初のページから最終ページまで印刷する設定であったものを、最初のページから前記変更ページまで印刷する設定となるよう変更し、前記変更ページの次のページ以降の画像データを削除し、前記変更ページを最終ページにすることを特徴とする画像形成装置。
【請求項２】
前記情報受付手段は、操作により情報の入力を受け付ける操作手段または前記インタフェース部を介して情報の入力を受け付ける手段であることを特徴とする請求項１に記載の画像形成装置。
【請求項３】
前記制御部は、
前記情報受付手段が前記出力変更を受け付けた際に、前記変更ページが印刷済みのページよりも後であれば、前記記憶手段に記憶された画像データのうち、最初のページから最終ページまで印刷する設定であったものを、最初のページから前記変更ページまで印刷する設定となるよう変更し、前記変更ページの次のページ以降の画像データを削除し、前記変更ページを最終ページにすることを特徴とする請求項１または請求項２に記載の画像形成装置。
【発明の詳細な説明】
【技術分野】
【０００１】
本発明は、複写機、プリンタ、複合機等の画像形成装置に関するものであり、特に、その印刷ジョブ管理技術に関するものである。
【背景技術】
【０００２】
従来の画像形成装置において、パソコンから複数ページの画像データを含んだ印刷ジョブを受信した場合には、その制御部から印刷処理を行うエンジン部を制御するエンジン制御部にその印刷ジョブが一括して送られて、エンジン制御部の制御の基でエンジン部により印刷ジョブの用紙への印刷処理が行われている。また、印刷中の印刷ジョブに対して、出力ページ数を変更する場合には、一度印刷ジョブがクリアされ、再度、ページ数が変更された新たな印刷ジョブを受信することで、その出力ページ数の変更が行われている。
【０００３】
なお、参考として以下のような画像形成装置が開示・提案されている。操作を案内するための表示を行う表示手段と、操作指示を受け付けるための操作手段と、前記表示手段に操作案内を表示させると共に前記操作手段を介して複数ページの原稿に対して複写を除外するページを指定するためのページ指定指示を受け付けるページ指定手段と、前記ページ指定受付手段によって前記ページ指定指示が受け付けられた場合、前記ページ指定指示により指定されたページ以外の原稿から取得した画像を複写する複写手段とを備えた画像形成装置が開示・提案されている（例えば、特許文献１を参照）。
【特許文献１】特開２００４−１８６７８４号公報
【発明の開示】
【発明が解決しようとする課題】
【０００４】
確かに、従来の画像形成装置では、印刷中の印刷ジョブに対して、印刷ジョブの出力ページ数を変更する場合には、一度印刷ジョブがクリアされ、再度、ページ数が変更された新たな印刷ジョブを受信することで、その印刷ジョブの出力ページ数の変更を行うことが可能である。
【０００５】
また、特許文献１に開示された画像形成装置であれば、複数ページの原稿の複写時に、指定されたページ以外の原稿から取得した画像を複写することが可能である。
【０００６】
しかしながら、従来の画像形成装置では、印刷ジョブが制御部からエンジン制御部に一括して送られてエンジン部により印刷が行われるため、印刷中の印刷ジョブに対して、印刷ジョブをクリアすることなく、出力ページ数の変更編集を行うことはできなかった。このため、印刷中の印刷ジョブに対して、ユーザが途中で印刷ジョブの出力ページ数を変更したい場合には、ユーザが印刷ジョブのクリア操作を行い、再度、ページ数が変更された新たな印刷ジョブを従来の画像形成装置に向けて送信する操作を行う必要があるため、印刷ジョブをクリアして再度印刷ジョブを送信する操作に時間がかかってしまうという問題があった。
【０００７】
なお、特許文献１に開示された画像形成装置は、複写時の原稿複写ページの変更に関する発明であり、原稿から取得した画像の複写処理の開始前に、予め複写する必要のないページを指定しなければならない。
【０００８】
本発明は、上記の問題点に鑑み、印刷中の印刷ジョブに対して、その印刷ジョブをクリアすることなく、出力ページ数を変更することが可能な画像形成装置を提供することを目的とする。
【課題を解決するための手段】
【０００９】
上記目的を達成するために、本発明に係る画像形成装置は、情報の入力を受け付ける情報受付手段と、外部の装置との接続を確立するためのインタフェース部と、該インタフェース部が受信した印刷ジョブに含まれる画像データを用紙に印刷する印刷手段と、を有して成り、所定のデータを記憶するための記憶手段と、前記インタフェース部が印刷ジョブを受信した際に、該印刷ジョブから１ページごとに画像データを抽出し、その抽出した画像データごとに対応するページ数を関連付けて前記記憶手段に記憶させる抽出手段と、前記印刷手段による前記画像データの印刷の開始後、前記情報受付手段が画像データの最終ページよりも前の変更ページまでの出力変更を受け付けた際に、前記記憶手段に記憶された画像データのうち、変更ページに対応する画像データまでを出力するように印刷手段に指示するページ変更手段と、を有して成る構成とされている。このような構成とすることにより、印刷ジョブに含まれる画像データの印刷の開始後に、ユーザが出力ページ数の変更を行いたい場合に、その印刷ジョブをクリアすることなく、出力ページ数を変更することが可能となる。
【００１０】
また、上記構成から成る画像形成装置は、前記情報受付手段が、操作により情報の入力を受け付ける操作手段である構成とされている。このような構成とすることにより、ユーザは、タッチ機能付きディスプレイやテンキー等の操作手段を操作するのみで簡単に出力ページ数を変更することが可能となる。
【００１１】
また、上記構成から成る画像形成装置は、前記情報受付手段が、前記インタフェース部を介して情報の入力を受け付ける手段である構成とされている。このような構成とすることにより、ユーザが画像形成装置まで行ってその出力ページ数の変更設定を行う必要がないため、ユーザに対する利便性が更に向上する。
【発明の効果】
【００１２】
上記したように、本発明に係る画像形成装置であれば、印刷ジョブに含まれる画像データの印刷の開始後に、その印刷ジョブをクリアすることなく、出力ページ数を変更することが可能となる。
【発明を実施するための最良の形態】
【００１３】
以下では、本発明をプリンタ機能および複写機能を有した複合機に適用した場合を例に挙げて説明を行う。図１は本発明に係る複合機の要部構成を示すブロック図であり、図２は本発明に係る複合機の要部構造を模式的に示す縦断面図である。両図に示すように、本実施形態の複合機１は、装置全体の動作を制御する制御部１０と、原稿を自動搬送する原稿搬送部１１と、原稿搬送部１１から搬送された原稿を取り込んで画像データを生成する原稿取込部１２と、操作により情報の入力を受け付ける操作手段（テンキーやタッチパネルなど）と表示手段（液晶ディスプレイなど）から成る操作表示部１３と、各種制御プログラム等が格納され、ワーク領域としても用いられるメモリ部１４と、後述のエンジン制御部１５の制御により画像データに基づく画像を用紙への印刷および印刷済みの用紙の後処理を行うエンジン部１６と、制御部１０から入力されたコマンドに基づいてエンジン部１６の制御を行うエンジン制御部１５と、外部の装置との通信の接続を確立するためにネットワーク３０に接続されたインタフェース部１７と、を有して成る。なお、複合機１は、後述のパソコン３１とネットワーク３０を介してデータ等の送受信を行うことが可能である。
【００１４】
制御部１０は、装置全体の動作を制御するほか、エンジン制御部１５へ各種コマンドを入力して、エンジン制御部１５にエンジン部１６の制御を行わせる。また、制御部１０は、インタフェース部１７が印刷ジョブを受信した際に、該印刷ジョブから１ページごとに画像データを抽出し、その抽出した画像データごとに対応するページ数を関連付けて記憶手段のＲＡＭ１４２に記憶させる抽出手段と、印刷ジョブに含まれる画像データの印刷の開始後、情報受付手段（本実施形態では、後述の操作表示部１３のタッチ機能付きの液晶ディスプレイ１３１）が画像データの最終ページよりも前の変更ページまでの出力変更を受け付けた際に、ＲＡＭ１４２に記憶された画像データのうち、変更ページに対応する画像データまでを出力するように印刷手段（本実施形態では、エンジン制御部１５、給紙部１６１、画像形成部１６２および定着部１６３に相当）に指示するページ変更手段と、しての役割を担う。
【００１５】
エンジン部１６は、画像データに基づいて用紙へトナー像の形成を行う画像形成部１６２（現像器、感光体ドラムおよび露光ユニット等から成るプリント部１６２ａを含む）と、画像形成部１６２で用紙上に形成されたトナー像を用紙へ定着させる定着部１６３と、画像形成部１６２へ給紙を行う給紙部１６１と、定着部１６３を通過した用紙の後処理を行うフィニッシャー１６４と、を有して成る。
【００１６】
フィニッシャー１６４は、複数段のトレイ、複数の用紙を束ねて該トレイに排出する束排出処理を行うソータ部、および複数の用紙を束ねてステイプルを行った後に該トレイに向けて排出するステイプル処理を行うステイプル部を有して成る。
【００１７】
給紙部１６１は、画像形成部１６２への給紙元となる複数段（本実施形態では３段）の用紙収納部１６１ａ〜１６１ｃと、各用紙収納部１６１ａ〜１６１ｃから画像形成部１６２への共通した用紙搬送経路となる用紙搬送部１６１ｄと、を有して成る。
【００１８】
メモリ部１４は、各種制御プログラム等が格納されたＲＯＭ［Read Only Memory］１４１と、ワーク領域として用いられるＲＡＭ［Random Access Memory］１４２と、を有して成る。
【００１９】
また、図３は、複合機１における操作表示部１３の一例を示す図である。操作表示部１３は、タッチ操作での情報の入力を受け付けや画像の表示を行うタッチパネル機能付き液晶ディスプレイ１３１と、数値等の情報の入力を受け付けるテンキー１３２と、ユーザにより押下されることで指定された情報のクリアを受け付けるクリアキー１３３と、ユーザにより押下されることで複写処理や印刷処理の中止を受け付けるストップキー１３４と、ユーザにより押下されることで複写処理の開始を受け付けるスタートキー１３５と、を備えている。
【００２０】
また、液晶ディスプレイ１３１には、装置のステータスが表示されるステータス表示部１３１ａと、各種処理情報が表示されるメイン表示部１３１ｂと、が設けられている。
【００２１】
また、ネットワーク３０に接続されたパソコン３１は、図示は省略するが、各種プログラムおよびデータ等が格納され、ワーク領域としても利用される記憶部、画像が表示されるディスプレイ、入力操作が行われる入力装置、パソコン３１の全体の制御を行う制御部、外部の装置との接続を確立するためのインタフェース等を有して成る。パソコン３１は、複合機１等の外部の装置とデータおよび印刷データ等の送受信が可能である。
【００２２】
ここで、上記構成から成る複合機１における原稿複写動作について説明する。複合機１における原稿複写動作では、まず原稿搬送部１１から原稿取込部１２に原稿が搬送され、原稿取込部１２による該原稿の取込み（画像データの生成）が行われる。生成された画像データは、制御部１０により一旦ＲＡＭ１４２に格納された後、再び読み出されて印刷コマンドとともにエンジン制御部１５に送られる。続いて、エンジン制御部１５から画像形成部１６２へ画像データが送出され、画像データに基づいて感光体ドラム（不図示）の表面にトナー像が形成される。そして、画像形成部１６２で、給紙部１６１から画像形成部１６２に搬送されてきた用紙へそのトナー像の形成処理が行われる。更に、定着部１６３でトナー像の用紙への定着処理が行われた後、フィニッシャー１６４に排出される。なお、原稿複写の開始前に、ユーザにより操作表示部１３が操作されて、予め束排出処理あるいはステイプル処理が設定されている場合には、複写済みの用紙がフィニッシャー１６４で、それぞれ束排出処理あるいはステイプル処理が行われてフィニッシャー１６４のトレイに排出される。
【００２３】
なお、本実施形態の複合機１は、インタフェース部１７が受信した印刷ジョブに含まれる画像データの印刷の開始後に、その印刷ジョブをクリアすることなく、出力ページ数を変更して印刷を継続して行う制御に特徴を有している。
【００２４】
そこで、以下では、図４のフローチャートを参照しながら、上記特徴についての詳細な説明を行う。なお、図４において、最終ページＭは、印刷ジョブに含まれる画像データの最終ページ、現ページＮは、現在、用紙への印刷の対象となり、印刷ジョブに含まれる画像データのページ、変更ページＱは、印刷ジョブの印刷中において、印刷ジョブに含まれる画像データの最終ページが変更された変更ページを意味する。また、最終ページＭと変更ページＱの関係は、変更ページＱ＜最終ページＭである。
【００２５】
本実施形態の複合機１では、ステップＳ４−１で、インタフェース部１７によりパソコン３１から送信された印刷ジョブが受信されると、制御部１０により、印刷ジョブが一旦ＲＡＭ１４２に記憶される。
【００２６】
続いて、ステップＳ４−２で、制御部１０により、印刷ジョブの印刷を要求する印刷要求コマンドのほかに、印刷ジョブにフィニッシャー１６４で印刷済み用紙の束排出処理を要求する束排出コマンドやフィニッシャー１６４で印刷済み用紙のステイプル処理を要求するステイプルコマンド等のコマンドの抽出が行われる。印刷要求コマンド以外に束排出コマンドあるいはステイプルコマンドが印刷ジョブに含まれていれば、束排出コマンドやステイプルコマンドは後で最終ページ用印刷コマンドとして用いられるため、制御部１０により、束排出コマンドやステイプルコマンドに対してフラグが立てられる。
【００２７】
続いて、ステップＳ４−３で、制御部１０により、印刷ジョブから１ページごとに画像データが抽出され、その抽出された画像データごとに対応するページＩＤ（すなわち、ページ数に相当）が関連付けられてＲＡＭ１４２に記憶される。
【００２８】
続いて、ステップＳ４−４で、制御部１０により印刷ジョブの印刷に関する処理が開始される。このとき、図５に示すように、ステータス表示部１３１ａには、プリント中である旨が表示される。メイン表示部１３１ｂの完了ページ表示部１３１ｃには、印刷の完了した完了ページ数が表示される。メイン表示部１３１ｂの最終ページ表示部１３１ｄには、印刷ジョブに含まれる画像データの最終ページＭが表示される。また、メイン表示部１３１ｂには、印刷ジョブの印刷の開始後に、最終ページＭの変更を行う際に押下される編集ボタン１３１ｅが表示される。なお、ステップＳ４−２おいて束排出コマンドあるいはステイプルコマンドが抽出された場合には、それらの処理が行われることを示す図柄、文字あるいは記号が、液晶ディスプレイ１３１に表示されてもよい。
【００２９】
続いて、ステップＳ４−５で、制御部１０により、現在の用紙への印刷の対象となる画像データの現ページＮがカウントされ、更に、現ページＮが、最終ページＭと等しくないと判定される場合には（Ｓ４−５ＮＯ）には、ステップＳ４−６で、制御部１０によりＲＡＭ１４２から現ページＮの画像データが読み込まれ、制御部１０により現ページＮの画像データに印刷コマンドが付加されて、エンジン制御部１５に送られる。
【００３０】
ステップＳ４−７で、印刷コマンドに従ってエンジン制御部１５により、現ページＮの画像データが画像形成部１６２へ送出され、その画像データに基づいて感光体ドラム（不図示）の表面にトナー像が形成される。そして、画像形成部１６２で、給紙部１６１から画像形成部１６２に搬送されてきた用紙へそのトナー像の形成処理が行われる。更に、定着部１６３でトナー像の用紙への定着処理が行われた後、印刷済みの用紙がフィニッシャー１６４に送られる。
【００３１】
続いて、ステップＳ４−８で、制御部１０により、現ページＮがＮ＋１にカウントアップされる。
【００３２】
続いて、ステップＳ４−９で、ユーザによって、図５に示す編集ボタン１３１ｅが押下されると、その押下による信号が制御部１０に入力される。そして、制御部１０により、図６に示すように、最終ページＭの変更設定を行うための画面が液晶ディスプレイ１３１に表示される。ユーザにより、変更ページ入力部１３１ｆにテンキー１３２が用いられて変更ページＱが入力された後に終了ボタン１３１ｇが押下され、その押下に伴って最終ページＭの変更ページＱへの変更が液晶ディスプレイ１３１に受け付けられた場合には（Ｓ４−９ＹＥＳ）、ステップＳ４−１０で、変更ページＱを示す信号が制御部１０への入力されて、制御部１０により、最終ページＭの変更ページＱへの変更が認識される。
【００３３】
また、ステップＳ４−９で、ユーザにより前述の最終ページＭの変更設定が行われず、最終ページＭの変更ページＱへの変更が液晶ディスプレイ１３１によって受け付けられない場合には（Ｓ４−９ＮＯ）、最終ページＭの変更ページＱへの変更が行われないため、ステップＳ４−５に戻る。
【００３４】
続いて、ステップＳ４−１１で、制御部１０により、現ページＮが変更ページＱよりも小さいと判定される場合には（Ｓ４−１１ＹＥＳ）、ステップＳ４−１２で、制御部１０により、ＲＡＭ１４２に１ページごとにページＩＤと関連付けられて記憶されている画像データのうち、［変更ページＱ＋１］ページ以降の画像データが削除される。
【００３５】
続いて、ステップ４−１３で、制御部１０により、最終ページＭの値が変更ページＱに変更されて認識されるとともに、図７に示すように、最終ページ表示部１３１ｄに変更ページＱの値が表示され、ステップＳ４−５に戻る。なお、上記したように最終ページＭの変更ページＱへの変更が行われることで、再び最終ページＭの変更設定が行われない限り、変更ページＱ（ページＩＤ＝Ｑ）に対応する画像データまでが用紙へ印刷されることになる。
【００３６】
また、ステップＳ４−５で、制御部１０により、現在の用紙への印刷の対象となる画像データの現ページＮがカウントされ、更に、現ページＮが、最終ページＭと等しいと判定される場合には（Ｓ４−５ＹＥＳ）には、ステップＳ４−１４で、制御部１０により、ＲＡＭ１４２に１ページごとにページＩＤと関連付けられて記憶されている画像データのうち、現ページＮの画像データが読み込まれ、現ページＮの画像データに最終ページ用印刷コマンドが付加されて、エンジン制御部１５に送られる。なお、最終ページ用印刷コマンドとは、ステップＳ４−２おいて制御部１０により束排出コマンドおよびステイプルコマンドのフラグが立てられていない場合には、最終ページＭを表すコマンド（例えば、ｃｏｍｍａｎｄ＿ｎ＝ｃｏｍｍａｎｄ＿ｆｉｎａｌ）、ステップＳ４−２おいて制御部１０により束排出コマンドにフラグが立てられている場合には、束排出コマンド、ステップＳ４−２おいて制御部１０によりステイプルコマンドにフラグが立てられている場合には、ステイプルコマンドである。
【００３７】
続いて、ステップＳ４−１５で、最終ページ用印刷コマンドに従ってエンジン制御部１５により、最終ページＭの画像データが画像形成部１６２へ送出され、その画像データに基づいて感光体ドラム（不図示）の表面にトナー像が形成される。そして、画像形成部１６２で、給紙部１６１から画像形成部１６２に搬送されてきた用紙へそのトナー像の形成処理が行われる。更に、定着部１６３でトナー像の用紙への定着処理が行われた後、印刷済みの用紙がフィニッシャー１６４に送られる。フィニッシャー１６４では、最終ページ用印刷コマンドに応じて後処理が行われ、印刷済みの用紙がトレイに排出される。なお、フィニッシャー１６４では、最終ページ用印刷コマンドが最終ページＭを表すコマンドである場合には、後処理が行われることなく印刷済みの用紙が排出され、最終ページ用印刷コマンドが束排出コマンドである場合には、ソート部で１ページ〜最終ページＭまでの印刷済みの用紙が束にされた後にトレイに排出され、最終ページ用印刷コマンドがステイプルコマンドである場合には、ステイプル部で１ページ〜最終ページＭまでの印刷済みの用紙が束にされ、更にステイプル処理された後にトレイに排出される。
【００３８】
なお、前述のステップ４−１において複数の部数の印刷を要求する印刷ジョブが受信されていた場合には、ステップＳ４−１５の完了後に、制御部１０の制御により、設定部数分が完了するまで、ステップＳ４−４〜Ｓ４−１７までが繰り返される。
【００３９】
また、ステップＳ４−１１で、制御部１０により、現ページＮが変更ページＱよりも小さくない（すなわち、大きい）と判定される場合には（Ｓ４−１１ＮＯ）、ステップ４−１６で、制御部１０により、ＲＡＭ１４２に１ページごとにページＩＤと関連付けられて記憶されている画像データのうち、現ページＮの次ページＮ＋１の画像データが読み込まれ、制御部１０により現ページＮの次ページＮ＋１の画像データに最終ページ用印刷コマンドが付加されて、エンジン制御部１５に送られる。
【００４０】
続いて、ステップＳ４−１７で、最終ページ用印刷コマンドに従ってエンジン制御部１５により、現ページＮの次ページＮ＋１の画像データが画像形成部１６２へ送出され、その画像データに基づいて感光体ドラム（不図示）の表面にトナー像が形成される。そして、画像形成部１６２で、給紙部１６１から画像形成部１６２に搬送されてきた用紙へそのトナー像の形成処理が行われる。更に、定着部１６３でトナー像の用紙への定着処理が行われた後、印刷済みの用紙がフィニッシャー１６４に送られる。フィニッシャー１６４では、最終ページ用印刷コマンドに応じて後処理が行われ、印刷済みの用紙がトレイに排出される。なお、フィニッシャー１６４では、最終ページ用印刷コマンドが最終ページＭを表すコマンドである場合には、後処理が行われることなく印刷済みの用紙が排出され、最終ページ用印刷コマンドが束排出コマンドである場合には、ソート部で１ページ〜最終ページＭまでの印刷済みの用紙が束にされた後にトレイに排出され、最終ページ用印刷コマンドがステイプルコマンドである場合には、ステイプル部で１ページ〜最終ページＭまでの印刷済みの用紙が束にされ、更にステイプル処理された後にトレイに排出される。
【００４１】
なお、ステップ４−１において複数の部数の印刷を要求する印刷ジョブが受信されていた場合には、ステップＳ４−１７に追加して、更に制御部１０により、ＲＡＭ１４２に１ページごとにページＩＤと関連付けられて記憶されている画像データのうち、［変更ページＱ＋１］ページ以降の画像データが削除される。そして、制御部１０の制御により、ＲＡＭ１４２に１ページごとにページＩＤと関連付けられて記憶されている１ページ（ページＩＤ＝１）〜変更ページＱ（ページＩＤ＝Ｑ）までの画像データの印刷が、設定部数分が完了するまで、ステップＳ４−４〜Ｓ４−１７までが繰り返される。
【００４２】
以上で説明したように、本実施形態の複合機１は、インタフェース部１７が印刷ジョブを受信した際に、制御部１０により、印刷ジョブから１ページごとに画像データを抽出し、その抽出した画像データごとに対応するページＩＤ（すなわち、ページ数）を関連付けて記憶手段となるＲＡＭ１４２に記憶し、更に印刷ジョブに含まれる画像データの印刷の開始後に、液晶ディスプレイ１３１が画像データの最終ページＭよりも前の変更ページＱまでの出力変更を受け付けた際に、ＲＡＭ１４２に記憶された画像データのうち、変更ページＱに対応する画像データまでが出力される構成であるため、印刷中の印刷ジョブに対して、ユーザが出力ページ数の変更を行いたい場合に、その印刷ジョブをクリアすることなく、出力ページ数を変更することが可能となる。また、本実施形態の複合機１は、操作手段となるタッチ機能付きディスプレイ１３１やテンキー１３２を操作して変更ページＱの値を入力する１ステップの操作のみで、最終ページＭの変更ページＱへの変更設定（すなわち、出力ページ数の変更）を簡単に行うことが可能であるため、ユーザに対する利便性が優れている。
【００４３】
なお、上記の実施形態では、ステップ４−９においてタッチ機能付きの液晶ディスプレイ１３１およびテンキー１３２が用いられて最終ページＭの変更設定が受け付けられる構成であったが、本発明ではこれに限定されるものではなく、テンキー１３２の代わりに数値入力が液晶ディスプレイのみで行える構成にされてもよい。これにより、液晶ディスプレイのみで簡単に最終ページＭの変更設定を行うことが可能となる。また、タッチ機能付きの液晶ディスプレイ１３１の代わりに、タッチ機能のない液晶ディスプレイが設けられ、その表示内容に従って、テンキー等の入力キーで操作入力することで最終ページＭの変更設定が受け付けられる構成でもよい。
【００４４】
また、本実施形態の複合機１は、制御部１０がインタフェース部１７を介してパソコン３１から複合機１へ向けて送信された最終ページＭの変更ページＱへの変更設定を受信することで、その変更設定が制御部１０に受け付けられて、前述したように最終ページＭが変更ページＱへの変更されてもよい。これにより、上記の効果に追加して、ユーザが複合機１まで行って、最終ページＭの変更ページＱへの変更設定を行う必要がないため、ユーザに対する利便性が更に向上する。なお、この場合、制御部１０は、インタフェース部１７を介して最終ページＭの変更ページＱへの変更設定等の情報の入力を受け付ける情報受付手段としての役割を担っている。
【００４５】
また、上記の実施形態の複合機１では、フィニッシャー１６４を備えた構成であったが、フィニッシャーを備えていない複合機に対しても本発明を当然適用することが可能である。
【００４６】
なお、上記の実施形態では、プリンタ機能と複写機能を備えた複合機を例に挙げて説明を行ったが、本発明の構成はこれに限定されるものではなく、プリンタ、ファクシミリ、複写機等の画像形成装置にも広く適用することが可能である。
【００４７】
また、本発明の構成は、上記実施形態のほか、発明の主旨を逸脱しない範囲で種々の変更を加えることが可能である。
【産業上の利用可能性】
【００４８】
本発明は、複合機の他にも、プリンタ、ファクシミリ、複写機などの画像形成装置全般に広く適用が可能であり、印刷ジョブの出力ページ数の変更に有用な技術である。
【図面の簡単な説明】
【００４９】
【図１】は、本発明に係る複合機の要部構成を示すブロック図である。
【図２】は、本発明に係る複合機の要部構造を模式的に示す縦断面図である。
【図３】は、複合機１における操作表示部１３の一例を示す図である。
【図４】は、本発明に係る複合機における出力ページ数を変更して印刷を継続して行う制御を説明するためのフローチャートである。
【図５】は、操作表示部１３の液晶ディスプレイ１３１に表示された印刷開始時の表示画像の一例を示す図である。
【図６】は、操作表示部１３の液晶ディスプレイ１３１に表示された最終ページＭの変更設定画像の一例を示す図である。
【図７】は、液晶ディスプレイ１３１に表示された最終ページＭの変更後の表示画像の一例を示す図である。
【符号の説明】
【００５０】
１    複合機
１０    制御部
１１    原稿搬送部
１２    原稿取込部
１３    操作表示部
１３１    液晶ディスプレイ
１３１ａ    ステータス表示部
１３１ｂ    メイン表示部
１３１ｃ    完了ページ表示部
１３１ｄ    最終ページ表示部
１３１ｅ    編集ボタン
１３１ｇ    終了ボタン
１３２    テンキー
１３３    クリアキー
１３４    ストップキー
１３５    スタートキー
１４    メモリ部
１４１    ＲＯＭ
１４２    ＲＡＭ
１５    エンジン制御部
１６    エンジン部
１６１    給紙部
１６１ａ〜１６１ｃ    用紙収納部
１６１ｄ    用紙搬送部
１６２    画像形成部
１６２ａ    プリント部
１６３    定着部
１６４    フィニッシャー
１７    インタフェース部
３０    ネットワーク
３１    パソコン
【図１】
0004671821.tif 000002
【図２】
0004671821.tif 000003
【図３】
0004671821.tif 000004
【図４】
0004671821.tif 000005
【図５】
0004671821.tif 000006
【図６】
0004671821.tif 000007
【図７】
0004671821.tif 000008